(57)【要約】【課題】塵埃による悪臭を長期間に渡って、しかも効果的に脱臭できる集塵袋を提供する。【解決手段】塵埃吸引用の開口部２ａを有し電気掃除機（図示せず）内に装着される口芯２と、口芯２の開口部２ａより吸引された塵埃を捕集する袋状体４と、開口部２ａに連通すると共に内部に粒状又は粉状の脱臭剤を収納した収納ケース３とを備え、収納ケース３の開口部２ａと収納ケース３の開口部及び袋状体４の吸引口４ａが連通するように、それぞれの位置を合致させて取着され、収納ケース３の底部は、口芯２の底部２ｂ及び袋状体４の底部４ａより低い位置に設けることで、掃除機運転停止後、開口部近くに残留している脱臭剤が下方に落下しても集塵袋１外にこぼれることがなく、脱臭剤は収納ケース３の底部に収納され、次の掃除機運転時に、塵埃を含んだ吸引風によって、底部に収納されていた脱臭剤は即座に袋状体４内に投入され、すばやい脱臭効果を得ることができる。【選択図】図１
2007037816.tif 000002
【特許請求の範囲】
【請求項１】
塵埃吸引用の開口部を有すると共に電気掃除機内に装着される口芯と、吸気下流側に前記口芯の開口部より吸引された塵埃を捕集する袋状体と、内部に粒状又は粉状の脱臭剤を収納し、前記口芯の開口部に連通する空間に脱臭剤の排出口を有した収納ケースとを備え、上記口芯或いは収納ケースの内、吸引下流側に位置する側の部品の塵埃吸引通路の底面を、吸気上流側の構成部品の塵埃吸引通路の底面より低い位置に設けた集塵袋。
【請求項２】
吸引下流側に位置する部品を収納ケースとした請求項１に記載の集塵袋。
【請求項３】
開口部の下方の一部を、吸引下流側に位置する部品の底面より高くして壁状に有した袋状体を設けた請求項１または２に記載の集塵袋。
【請求項４】
吸引下流側に位置する部品の塵埃吸引通路の底面を、吸気上流側から下流側にかけて低くした請求項１〜３のいずれか１項に記載の集塵袋。
【請求項５】
請求項１〜４のいずれか１項に記載の集塵袋が装着される集塵室と、前記集塵室内に空気を吸引するための電動送風機を備えた電気掃除機。
【発明の詳細な説明】
【技術分野】
【０００１】
本発明は、電気掃除機用の集塵袋及びこれを用いた電気掃除機に関するもので、特に、電気掃除機用集塵袋内に堆積した塵埃の脱臭に関するものである。
【背景技術】
【０００２】
従来より、電気掃除機用集塵袋内に堆積した塵埃の脱臭方法として、紙パックや集塵フィルターに脱臭剤を含浸させて、その脱臭剤によって塵埃から発する臭いを脱臭するようにしたものがある（例えば、特許文献１参照）。
【０００３】
また、電気掃除機の電気掃除機用集塵袋を収納する集塵室内空間に消臭芳香剤を設置したものも提案されている（例えば、特許文献２参照）。
【特許文献１】特開平５−７０８７１号公報
【特許文献２】特許第２８１００９０号公報
【発明の開示】
【発明が解決しようとする課題】
【０００４】
しかしながら、上記特許文献１に記載された従来の脱臭方法では、脱臭剤が紙パックや集塵フィルターの濾材のみに含浸されているだけなので、その濾材と塵埃との接触面積が少なく、かつ、接触時間も瞬間的であるため、十分な脱臭効果が得られない、という課題があった。そのため、上記従来の紙パックや集塵フィルターを装着した電気掃除機を運転した時に、塵埃の種類や蓄積期間によっては、電気掃除機からの排気風に混じって悪臭が発せられ、不快なものであった。
【０００５】
又、上記特許文献２に記載された構成は、集塵室内空間に消臭芳香剤を設置することで、集塵室内に消臭成分を飛散させて、電気掃除機用集塵袋内の塵埃の消臭を行い、運転時の排気臭を緩和させるようにしたものであるが、消臭芳香剤は、塵埃の臭気に別に香りを混合させて、排気臭を緩和するため、根本的な臭気の除去には至らず、吸引した塵埃の種類によっては、不快な異臭として電気掃除機から排気されるという課題を有していた。
【０００６】
また、前記従来の構成では、多量の塵埃を吸引して、長期に渡って保持できる集塵袋式掃除機では、吸引気流がほぼ全て塵埃中を通過するため、吸塵量の増加に従い、臭気発生量が増加し、集塵袋の許容量に近い状態では、臭気発生が大幅に増加するため、消臭芳香剤の消臭効果では、ほとんど効果が得られないという課題を有していた。
【０００７】
本発明は、前記従来の課題を解決するもので、電気掃除機用の集塵袋内の塵埃量や、貯留期間に関係なく、電気掃除機使用時の排気に含まれる塵埃由来の臭気を大幅に低減し、使用勝手の良い集塵袋及び電気掃除機を提供することを目的とする。
【課題を解決するための手段】
【０００８】
前記従来の課題を解決するために、本発明の電気掃除機用集塵袋は、塵埃吸引用の開口部を有すると共に電気掃除機内に装着される口芯と、吸気下流側に前記口芯の開口部より吸引された塵埃を捕集する袋状体と、内部に粒状又は粉状の脱臭剤を収納し、前記口芯の開口部に連通する空間に脱臭剤の排出口を有した収納ケースとを備え、上記口芯或いは収納ケースの内、吸引下流側に位置する側の部品の塵埃吸引通路の底面を、吸気上流側の構成部品の塵埃吸引通路の底面より低い位置に設けたもので、塵埃吸引時の吸引風により、収納ケース内の粒状又は粉状の脱臭剤が収納ケースより排出され、それが、吸引される塵埃と混合して袋状体内に堆積することにより、塵埃と脱臭剤の接触面積が極めて広く、しかも脱臭剤が、集塵袋が廃棄或いは、袋状体が空にされるまで残っているので、脱臭効果が大きくしかも長時間持続できるので、常に快適に掃除を行うことができ、さらに電気掃除機運転停止後に滞留する脱臭剤を中間構成部品の塵埃塵埃吸引通路の底面に一時的に収納、こぼれを防止することができ、次の運転時に集塵袋に投入され、すばやい脱臭効果を得ることができる。
【発明の効果】
【０００９】
本発明の集塵袋は、電気掃除機の塵埃由来の悪臭が排気に含まれるのを大幅に低減し、かつ集塵袋内の塵埃が許容量に達するまで長期に渡って脱臭効果を維持させることができる。
【発明を実施するための最良の形態】
【００１０】
第１の発明は、塵埃吸引用の開口部を有すると共に電気掃除機内に装着される口芯と、吸気下流側に前記口芯の開口部より吸引された塵埃を捕集する袋状体と、内部に粒状又は粉状の脱臭剤を収納し、前記口芯の開口部に連通する空間に脱臭剤の排出口を有した収納ケースとを備え、上記口芯或いは収納ケースの内、吸引下流側に位置する側の部品の塵埃吸引通路の底面を、吸気上流側の構成部品の塵埃吸引通路の底面より低い位置に設けたことにより、塵埃吸引時の吸引風により、収納ケース内の粒状又は粉状の脱臭剤が収納ケースより排出され、それが、吸引される塵埃と混合して袋状体内に堆積することにより、塵埃と脱臭剤の接触面積が極めて広く、しかも脱臭剤が、集塵袋が廃棄或いは、袋状体が空にされるまで残っているので、脱臭効果が大きくしかも長時間持続できるので、常に快適に掃除を行うことができ、さらに電気掃除機運転停止後に滞留する脱臭剤を中間構成部品の塵埃塵埃吸引通路の底面に一時的に収納、こぼれを防止することができ、次の運転時に集塵袋に投入され、すばやい脱臭効果を得ることができる。
【００１１】
第２の発明は、特に、第１の発明の吸引下流側に位置する部品を収納ケースとしたもので、脱臭剤の排出口の直下に脱臭剤の収納場所を確保できるため、滞留する脱臭剤を効率的に収納し、こぼれをより確実に防ぐことができるとともに、収納ケースを備えていない従来の集塵袋を使用する電気掃除機にも使用できるようになり、互換性に優れ、集塵袋の製造や在庫管理が簡素化される。
【００１２】
第３の発明は、特に、第１または第２の発明の開口部の下方の一部を、吸引下流側に位置する部品の底面より高くして壁状に有した袋状体を設けたもので、滞留する脱臭剤をより確実に収納し、こぼれをより確実に防ぐことができるとともに、本体を立てた収納の際には集塵袋への脱臭剤の投入を壁状部が防止することで、次回運転開始時の塵埃侵入までより多くの脱臭剤を確保、次回運転時にすばやい脱臭効果を得ることができる。
【００１３】
第４の発明は、特に、第１〜第３のいずれか一つの発明の吸引下流側に位置する部品の塵埃吸引通路の底面を、吸気上流側から下流側にかけて低くしたもので、優れた脱臭性能を長期間にわたって発揮し、常に快適に使用することができる電気掃除機を提供することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における集塵袋の略断面図で、図２は、同集塵袋の使用前の略断面図、図３は、同集塵袋の全体構成の斜視図、図４は、同集塵袋の収納ケースの要部断面図、図５は、同電気掃除機の全体斜視図、図６は、同電気掃除機本体の要部断面図である。
【００１６】
図１〜４において、電気掃除機用の集塵袋（以下「集塵袋」と称す）１は、塵埃吸引用の開口部２ａを有し、紙材又は樹脂材からなる口芯２と、口芯２の裏面（電気掃除機に装着した時に、吸引風の下流側になる面）に取着されると共に粒状又は粉状の脱臭剤３ａを収納する収納ケース３と、前面に塵埃吸引用の吸引口４ａを有し、紙や布などからなる濾材で袋状に形成された袋状体４から構成されている。本実施の形態では、袋状体４を収納ケース３の裏面に接着して取り付けている。
【００１７】
収納ケース３は、開口部３ｂを備え、その開口部３ｂを形成すると共に口芯２の開口部２ａから流入する吸引風の流れと平行な内周面３ｃには、収納ケース３の内部と開口部３ｂとを連通し、内部に収納された脱臭剤３ａが排出される排出口３ｄが複数個設けられている。また、使用前に脱臭剤３ａがこぼれ落ちないように、軟質の略薄板状のシール３ｅを設け、開口部３ｂを塞いでいる。
【００１８】
集塵袋１の組み立ての際には、口芯２の開口部２ａと、収納ケース３の開口部３ｂ及び袋状体４の吸引口４ａが連通するように、それぞれの位置を合致させて取着されるが、その際、収納ケース３の底部３ｆは、口芯２の底部２ｂ及び袋状体４の底部４ａより低い位置に設ける。
【００１９】
本実施の形態では、脱臭剤３ａとして、取り扱いの容易なゼオライトを使用している。
【００２０】
次に、本実施の形態における集塵袋１が装着される電気掃除機について、図５を用いて説明する。
【００２１】
電気掃除機本体（以下「本体」と称す）６は、後部に走行用の後輪７が一対、前部に同じく走行用の前輪キャスター８が設けられている。本体６の前面には、後述の集塵室に連通する吸気口１０が設けられ、この吸気口１０にホース１１の一端に設けた接続パイプ１１ａが接続され、ホース１１の他端には、電気掃除機を使用する際に操作する先端パイプ１１ｂが設けられている。さらに先端パイプ１１ｂは、延長管１２を介して床用吸い込み具１３に接続される。
【００２２】
上記本体６はその前部に、図６に示すように集塵袋１を装着自在に収納すると共に集塵蓋１４で開閉自在に覆われる集塵室１５が、後部に、吸引風を発生させる電動送風機１６を収納する電動送風機室１７が、背面に電動送風機室１７と外部を連通し、電動送風機１６からの排気風を排出する排気口（図示せず）がそれぞれ配されている。１８は、集塵室１５と電動送風機室１７とを仕切る隔壁で、集塵室１５と電動送風機室１７とを連通する格子状の開口１８ａが設けられている。
【００２３】
本体６の前部に設けた吸気口１０の後端に、ゴム、塩化ビニール、シリコーンなどの弾性材料からなり後方に円環状のリップ２０ａを有するパッキン２０が設けられている。
【００２４】
本体６への集塵袋１の装着は、まず集塵袋１の口芯２の下端を本体６の底部に設けた溝部２２に挿入し、口芯２の上端を、掃除機本体６に傾動自在に設けられたフック２３に引っ掛けることにより完了する。なお口芯２が所定に位置に取り付けられている状態では、パッキン２０のリップ２０ａが口芯２の開口部２ａの周縁に圧接され、気密を保つようになっている。
【００２５】
次に、本実施の形態における集塵袋１を装着した電気掃除機の作用、動作について述べる。
【００２６】
まず本体６に装着した集塵袋１のシール３ｅを取り除くことによって、収納ケース３の排出口３ｄを開放し、脱臭剤３ａを排出する準備が完了する。次に本体６から導出した電源コード（図示せず）のプラグ（図示せず）を壁コンセント（図示せず）に差し込み、先端パイプ１１ｂに設けたスイッチ１１ｃを操作すると、電動送風機１６の運転が開始し、それによって発生した吸引力が、ホース１１、延長管１２を経て、床用吸い込み具１３の底面に設けた吸い込み口（図示せず）に作用し、周囲の空気と共に、床面の塵埃が吸引される。
【００２７】
床用吸い込み具１３の吸い込み口から流入した空気は吸引風となって、塵埃と共に、延長管１２、ホース１１、吸気口１０を経て、口芯２の開口部２ａ、収納ケース３の開口部３ｂ、袋状体４の吸引口４ａを通って、袋状体４内に流入し、そこで塵埃が捕集され、きれいになった空気が、電動送風機１６を通って、排気口から外部に排出される。
【００２８】
そして、塵埃を含んだ吸引風が、収納ケース３の開口部３ｂを通過する際に、図１に示すように、排出口３ｄを通して収納ケース３内にエゼクター効果による吸引力が作用し、内部に収納された粒状又は紛状の脱臭剤３ａが排出され、その排出された脱臭剤３ａが塵埃と交じり合いながら、袋状体４内に入り奥側（電動送風機１６側）から堆積していく。
【００２９】
このとき塵埃はミクロ的に観察すると、個々の塵埃の外周が粒状或いは粉状の脱臭剤３ａで囲まれたような形となるため、塵埃と脱臭剤３ａとの接触面積は極めて大きなものとなり、かつ、集塵袋１内で、塵埃が脱臭剤３ａで囲まれたような形で保持されるようになる。その結果、脱臭剤３ａの脱臭効果は遺憾なく発揮され、臭気は大幅に低減する。例えば臭気の強い犬・猫の毛を集めたものを吸引させて掃除機本体１からの排気風の臭いを嗅いで見たが、その臭いはほとんど感じない程度に低減されていた。
【００３０】
また、脱臭剤３ａは、集塵袋１が廃棄或いは、袋状体４が空にされるまで塵埃と共に残っているので、脱臭効果が大きくしかも長時間持続できるので、常に快適に掃除を行うことができる。
【００３１】
また、掃除機運転停止後、収納ケース３に残留している脱臭剤のうち、開口部３ａ近くにある脱臭剤が下方に落下することがあるが、その場合、収納ケース３の底部３ｆに落下、底部３ｆより吸気上流側にある口芯２の底部２ｂの方が高いため、パッキン２０のリップ２０ａが口芯２の開口部２ａの周縁に圧接され、気密を保つようになっていることもあるため、集塵袋１外にこぼれることなく、脱臭剤３ａは収納ケース３の底部３ｆに収納されたことになる。そして、次の掃除機運転時に、塵埃を含んだ吸引風によって、収納ケース３の底部３ｆにエゼクター効果による吸引力が作用し、底部３ｆに収納されていた脱臭剤３ａは即座に袋状体４内に投入され、すばやい脱臭効果を得ることができる。
【００３２】
また、収納ケース３を、口芯２の下流側に設けたことにより、収納ケース３を備えていない従来の集塵袋を使用する電気掃除機にも使用できるようになり、互換性に優れ、集塵袋１の製造や在庫管理が簡素化される。
【００３３】
また、収納ケース３の、流入する空気の流れと平行な面に排出口３ｄを設けたことにより、収納ケース３内の粒状又は粉状の脱臭剤３ａが、吸引風のエゼクター効果による吸引作用により排出口３ｄから途切れることなく、しかも効率的に排出され、高い脱臭効果を発揮することができる。また、上記エゼクター効果は吸引流速に応じて変化するので、吸引風量が多い（吸塵量が多い）時には多く、吸引風量が少ない（吸塵量が少ない）時には少なくなる。すなわち脱臭剤３ａは、吸塵量に応じて自動的に供給量が変わるので無駄なく且つ効果的に脱臭効果を発揮することになる。
【００３４】
さらに、収納ケース３に固定した袋状体４の底部４ａが収納ケース３の底部３ｆより高く設けることで、本体６を立てて収納した際でも収納ケース３の底部３ｆに収納された脱臭剤３ａは袋状体４に流入することがなく、次の運転まで塵埃と混合されないことからその脱臭性能を劣化させることなく収納されることができる。
【００３５】
次に図７、８のように、収納ケース３の底部３ｆについて、吸気上流側から下流側にかけて低くすることで、掃除機運転停止後、収納ケース３の底部３ｆに収納する脱臭剤３ａをより下流側に多く収納し、集塵袋１外へのこぼれをより確実に防ぐことができるとともに、本体６を立てて収納した際でも袋状体４の底部４ａとの高低差が大きくなり脱臭剤３ａの収納空間を広く確保できることから、収納ケース３の底部３ａに収納された脱臭剤３ａは、より袋状体４に流入することがなく、次の運転まで塵埃と混合されないことからその脱臭性能を劣化させることなく収納されることができる。
【００３６】
また、本実施の形態で説明した集塵袋１を電気掃除機に使用することにより、優れた脱臭性能を長期間にわたって発揮し、常に快適に、また楽しく掃除作業を行うことができるものである。
【００３７】
なお、本実施の形態では、脱臭剤３ａとしてゼオライトを用いたが、吸着剤を用い、塵埃由来の臭気物質である低級脂肪酸類、アンモニア、アルデヒド等様々な臭気に対して吸着効果のある活性炭を用いても良い。
【００３８】
さらに、上記脱臭剤３ａに抗菌剤または芳香剤を混合させることも可能である。抗菌剤の抗菌材料としては、無機系としては、銀系、亜鉛系、銅系、有機系としては、イソチオシアン酸アリル類、カテキン類等を用いるのが、細菌、真菌に対して優れた抗菌効果を発揮し、特に銀系は、少量で高い抗菌効果を発揮する点で特に好ましく、脱臭とともに殺菌作用も得ることができて安全性の向上も図れる。
【００３９】
ところで、長期旅行等により電気掃除機をしばらく放置した後に、掃除を行う際、収納ケース３内の脱臭剤３ａが吸湿により固まって、脱臭剤３ａの排出がスムーズに行われないケースが起こりうる。これを解決するために、収納ケース３に強制的に振動を与える振動手段（図示せず）を設け、この振動手段を、掃除機本体６の運転開始時に動作させるようにしても良い。なお、振動手段は、特に図示しないが、電気で振動する振動素子や、電源コードの引き出し操作或いは、後輪７の回転に機械的に連動して収納ケース３に振動を加える振動体などで形成すると良い。
【産業上の利用可能性】
【００４０】
以上のように、本発明に係る集塵袋は、塵埃と脱臭剤との接触面積及び接触時間が従来に比べ飛躍的に多くなり、その結果脱臭効果は著しく良好なものとなるもので、電気掃除機に限らず、臭気を発する生ゴミ処理機等各種機器の用途にも適用できる。
【図面の簡単な説明】
【００４１】
【図１】本発明の実施の形態１における集塵袋の略断面図
【図２】同、集塵袋の使用前の略断面図
【図３】同、集塵袋の全体構成の斜視図
【図４】（ａ）同、集塵袋の収納ケースのシール部を外した状態の要部断面図（ｂ）同、集塵袋の収納ケースのシール部を付けた状態の要部断面図
【図５】同、電気掃除機の斜視図
【図６】同、電気掃除機の要部断面図
【図７】同、集塵袋の略断面図
【図８】同、集塵袋の使用前の略断面図
【符号の説明】
【００４２】
１  集塵袋
２  口芯
２ａ  開口部
２ｂ  口芯底部
３  収納ケース
３ａ  脱臭剤
３ｄ  排出口
３ｆ  収納ケース底部
４  袋状体
４ａ  袋状体底部
６  電気掃除機本体（掃除機本体）
１６  電動送風機
【図１】
2007037816.tif 000003
【図２】
2007037816.tif 000004
【図３】
2007037816.tif 000005
【図４】
2007037816.tif 000006
【図５】
2007037816.tif 000007
【図６】
2007037816.tif 000008
【図７】
2007037816.tif 000009
【図８】
2007037816.tif 000010